(57)【要約】      （修正有）【課題】耐磨耗性を有する空気ポンプを提供する。【解決手段】円筒体１０、ピストン棒セット２０、空気入れ部３０及び耐磨耗部４０を備える。ピストン棒セット２０は円筒体１０内に設けられており、円筒体１０の両端の間を往復移動可能であるピストン２２を有する。空気入れ部３０は円筒体１０の一端に取り付けられており、対象物に接続可能である。セラミック粉の塗布膜やチタンめっき硬質膜からなる耐磨耗部４０はピストン２２と円筒体１０の内壁との間に設けられており、空気を入れる際の耐磨耗性を高める。【選択図】図３
0003184344.tif 000002
【実用新案登録請求の範囲】
【請求項１】
第１端と第２端を有する円筒体と、
前記円筒体内に設けられており、前記第１端と前記第２端との間で往復移動可能であるピストンを有するピストン棒セットと、
前記円筒体の前記第１端に取り付けられており、対象物に接続可能である空気入れ部と、
前記ピストンと前記円筒体の内壁との間に設けられている耐磨耗部と、を備えることを特徴とする空気ポンプ。
【請求項２】
前記耐磨耗部は、セラミックによりコーティングされていることを特徴とする請求項１に記載の空気ポンプ。
【請求項３】
前記耐磨耗部は、チタンメッキの硬質膜によりコーティングされていることを特徴とする請求項１に記載の空気ポンプ。
【請求項４】
前記耐磨耗部は、エナメルによりコーティングされていることを特徴とする請求項１に記載の空気ポンプ。
【請求項５】
前記耐磨耗部は、前記円筒体の内壁に設けられていることを特徴とする請求項１に記載の空気ポンプ。
【考案の詳細な説明】
【技術分野】
【０００１】
本考案は、空気ポンプに関し、詳しくは、耐磨耗性を有する空気ポンプに関する。
【背景技術】
【０００２】
自転車は、交通手段であり、スポーツ用具の一つでもある。自転車、マウンテンバイク、ロードバイク、およびシティバイク等は、乗車の際の快適さや走行のスムーズさが求められている。快適さおよびスムーズさは、タイヤに充分な空気圧があるか否かで決まるので、空気ポンプでタイヤに空気を入れることでタイヤの空気圧を維持することがかなり重要となる。
【０００３】
従来の空気ポンプは、少なくとも円筒体、対象物に接続するために円筒体の一端に設けられた空気入れ部、円筒体に対向して往復して空気を入れるピストン棒、及びそのピストンからなる。
【考案の概要】
【考案が解決しようとする課題】
【０００４】
然しながら、前述した従来の技術では、空気を入れる際、ピストンがピストン棒とともに往復移動し、ピストンと円筒体の内壁とは高速往復による磨擦が生じ、相対的に高温となる。円筒体は高温により変形するおそれがあり、一旦変形すると、円筒体とピストンとの間の気密性が影響され、気体が漏れる可能性がある。
【０００５】
そこで、本考案者は、上記の欠点が改善可能と考え、鋭意検討を重ねた結果、合理的設計で上記の問題を効果的に改善する本考案の提案に到った。
【０００６】
本考案は、上述の問題に鑑みてなされたものである。本考案は、耐磨耗性を有する空気ポンプを提供することを目的とする。
【課題を解決するための手段】
【０００７】
上記の課題を解決するために、本考案に係る空気入れポンプは、円筒体、ピストン棒セット、空気入れ部、および耐磨耗部を有する。
円筒体は第１端と第２端を有する。ピストン棒セットは、円筒体内に設けられており、第１端と前記第２端との間で往復移動が可能であるピストンを有する。空気入れ部は、円筒体の第１端に取り付けられており、対象物に接続可能である。耐磨耗構造は、ピストンと円筒体内壁との間に設けられている。
【０００８】
これにより、空気ポンプの使用寿命を延長することが可能である。
【図面の簡単な説明】
【０００９】
【図１】本考案の一実施形態による空気ポンプの斜視図である。
【図２】本考案の一実施形態による空気ポンプの分解斜視図である。
【図３】本考案の一実施形態による空気ポンプの断面図である。
【図４】本考案の一実施形態による空気ポンプの作動を示す模式図である。
【図５】本考案の一実施形態による空気ポンプの作動を示す模式図である。
【図６】本考案の図５の要部拡大図である。
【考案を実施するための形態】
【００１０】
以下に図面を参照して、本考案を実施するための形態について、詳細に説明する。なお、本考案は、以下に説明する実施形態に限定されるものではない。
（一実施形態）
本考案の一実施形態による空気ポンプを図１〜６に基づいて説明する。
図１に示すように、空気ポンプ１００は、円筒体１０、ピストン棒セット２０、空気入れ部３０及び耐磨耗構造４０を備える。
【００１１】
円筒体１０は、アルミ素材で製造され、第１端と第２端を有する。第１端と第２端の間には収容室１１が形成され、第２端には貫通孔１４のある蓋体１３を螺設するためのねじ山１２が形成されている。
【００１２】
ピストン棒セット２０は、蓋体１３の貫通孔１４を貫通して円筒体１０内に設けられ、円筒体１０の第１端と第２端との間を往復移動することが可能であるピストン２２を有する。ピストン棒セット２０はピストン棒２１を有する。ピストン２２はピストン棒２１の一端に設けられている。ピストン棒２１の他端にはレバー２３が螺接されている。ピストン２２はＯ型リング２２２を嵌設するための凹状溝２２１を有し、末端表面には複数の切欠２２３が形成されている。
【００１３】
空気入れ部３０は円筒体１０の第１端側に形成されている内部空間３１を有する。内部空間３１は、チャネル１５を経由して円筒体１０の収容室１１と連通する。内部空間３１の一端には対象物と接続されている接続口３２が設けられている。内部空間３１の他端には、引棒３３と、内部空間３１を滑動する移動部材３４とが設けられている。移動部材３４は引棒３３に当接されている。移動部材３４は内部空間３１内で変位可能である。移動部材３４のダクト３４１を選択的にチャネル１５と位置合わせすることができる。ダクト３４１とチャネル１５との位置が対応すると、円筒体１０の収容室１１の気体が、チャネル１５からダクト３４１に進入し、接続口３２から対象物内に進入する。
【００１４】
耐磨耗部４０はピストン２２と円筒体１０内壁との間に設けられている。本実施形態では、耐磨耗部４０は円筒体１０の内壁に設けられセラミックによりコーティングされている。耐磨耗部４０セラミック粉を円筒体１０の内壁に塗布することにより形成される。セラミックに高硬度、高耐磨耗性等の長所があることから、円筒体１０内壁の耐磨耗性が向上する。よって、ピストン２２と円筒体１０との相対運動によって、円筒体１０が磨耗して変形することを抑制することができる。また、相対運動により温度が高まることを抑制することができる。よって、変形による気体の漏れが抑制され、空気ポンプ１００の寿命が延びる。また、別の実施形態では、耐磨耗部４０は円筒体１０の内壁を被覆するエナメルによりコーティングされてもよい。
【００１５】
図４と図５は本実施形態の空気入れポンプが空気を注入する状態を示す模式図である。先ず空気ポンプ１００のレバー２３を外側にひっぱる。ピストン棒２１を円筒体１０内で滑動させ、外部の気体を蓋体１３の貫通孔１４から円筒体１０の収容室１１内に進入させる。Ｏ型リング２２２は引っ張られ切欠２２３の一端に当接し、気体は凹状溝２２１および切欠２２３を経由して収容室１１の先端位置に流入する。続いて、空気入れ部３０の接続口３２が対象物２００に接続されており、引棒３３が移動部材３４に当接し、ダクト３４１とチャネル１５との位置が対応すると、レバー２３を円筒体１０内に押し込むことで、Ｏ型リング２２２が押し込まれ凹状溝２２１の一端に当接し、気体が、外部に流れることなく、ピストン棒２１に押圧されてチャネル１５に流入し、ダクト３４１に進入し、接続口３２から対象物２００内に進入する。対象物２００に気体が充填される。
【００１６】
図６は本考案の図５の要部の拡大図である。円筒体１０の内壁に耐磨耗部４０が設けられているため、ピストン２２が円筒体１０に対して運動する際、円筒体１０が変形し難くなり、円筒体１０の変形によって気体が漏れるおそれがなくなる。また、耐磨耗部４０は、コーティングされている硬質膜であってもよい。硬質膜はチタンメッキの硬質膜であってもよい。硬質膜は、硬質陽極酸化処理によって円筒体１０内壁に成形され、円筒体１０の内壁の耐磨性を高めることができる。
【００１７】
上述したように、本実施形態の空気ポンプはピストンと円筒体との間に耐磨耗部が設けられ、特に円筒体の内壁に耐磨耗部が設けられている。耐磨耗部はセラミックによりコーティングされ、エナメルによりコーティングされ、又は硬質膜によりコーティングされでもよい。これによって円筒体の耐磨耗性が高まり、ピストンが円筒体に対して運動する際に変形することを抑制し、変形で気体が漏れるおそれがなくなる。よって空気ポンプの寿命が長くなる。
【００１８】
以上、本考案の実施形態について図面を参照して詳述したが、具体的な構成は、この実施形態に限られるものではなく、本考案の要旨を逸脱しない範囲の設計変更等も含む。
【符号の説明】
【００１９】
１０・・・円筒体、
１１・・・収容室、
１２・・・ねじ山、
１３・・・蓋体、
１４・・・貫通孔、
１５・・・チャネル、
２０・・・ピストン棒セット、
２１・・・ピストン棒、
２２・・・ピストン、
２２１・・・凹状溝、
２２２・・・Ｏ型リング、
２２３・・・切欠、
２３・・・レバー、
３０・・・空気入れ部、
３１・・・内部空間、
３２・・・接続口、
３３・・・引棒、
３４・・・移動部材、
３４１・・・ダクト、
４０・・・耐磨耗部、
１００・・・空気ポンプ、
２００・・・対象物。
【図１】
0003184344.tif 000003
【図２】
0003184344.tif 000004
【図３】
0003184344.tif 000005
【図４】
0003184344.tif 000006
【図５】
0003184344.tif 000007
【図６】
0003184344.tif 000008